【手続補正書】
【提出日】平成22年2月24日(2010.2.24)
【手続補正１】
【補正対象書類名】明細書
【補正対象項目名】特許請求の範囲
【補正方法】変更
【補正の内容】
【特許請求の範囲】
【請求項１】  遊技盤の遊技領域に設けられて変動表示を行い、表示結果を導出する可変表示装置の表示部の外周部分を装飾する装飾部材を備えた遊技機において、
前記装飾部材の下方の前記遊技領域には、玉が入賞可能な入賞口が備えられ、
前記装飾部材には、該装飾部材に受け入れられた玉を複数の経路に振り分ける振分手段を上流から下流にかけて段階的に複数設けると共に、複数の前記振分手段より前面側に形成されて複数の前記振分手段毎に設けた玉排出部から排出された玉を左右方向に転動させると共に前記入賞口の上方に対応する部分に玉２個分以上の左右幅寸法の玉放出部を有する転動部を設け、
前記複数の経路は、少なくとも前記装飾部材に受け入れられた玉を前記玉排出部に向けて誘導する経路と、下流側に向けて誘導する経路と、から構成され、
前記玉排出部は、前記玉放出部までの距離が複数の前記振分手段毎に異なるように設けられ、
複数の前記振分手段のうち少なくとも１つの前記振分手段を、前記複数の経路のうち所定の経路によって誘導された玉が前記転動部で転動することがない、あるいは他の前記振分手段の前記玉排出部から誘導された玉の転動幅より小さい転動幅で転動するように誘導することが可能な特定振分手段としたことを特徴とする遊技機。
【請求項２】  前記特定振分手段は、複数の前記振分手段のうち最も下流側に設けられている前記振分手段であることを特徴とする請求項１記載の遊技機。
【請求項３】  前記転動部の前面側には、該転動部を転動する玉が前記玉放出部以外の位置から前記遊技領域に放出されることを防止するための放出防止部が形成されていることを特徴とする請求項１又は請求項２のいずれかに記載の遊技機。
【請求項４】  前記下流側に向けて誘導する経路は、当該下流側に向けて誘導するために振り分ける前記振分手段の裏面側に玉を移動させながら下流側に誘導し、前記玉排出部に向けて誘導する経路は、当該振分手段の前面側に玉を移動させながら前記玉排出部に誘導することを特徴とする請求項１乃至請求項３のいずれかに記載の遊技機。
【請求項５】  前記振分手段の前面側には、前記玉排出部以外の位置から前記転動部に玉が排出されることを抑止するための排出抑止部が形成されていることを特徴とする請求項１乃至請求項４のいずれかに記載の遊技機。
【請求項６】 複数の前記振分手段の各振分手段の間には、上流側に位置する前記振分手段で振り分けられた玉が下流側に位置する前記振分手段に誘導される経路の側壁の一部をなす玉導出規制部が形成されていることを特徴とする請求項１乃至請求項５のいずれかに記載の遊技機。
【請求項７】  前記装飾部材には、前記遊技領域を流下する玉を複数の前記振分手段のうち最も上流側に設けられている前記振分手段の近傍へ誘導するための誘導通路が形成されていることを特徴とする請求項１乃至請求項６のいずれかに記載の遊技機。
【請求項８】 複数の前記振分手段は、玉を前面側に転動させた後に左右いずれかに振り分け、一方を前記玉排出部に向けて誘導する経路、他方を下流側に向けて誘導する経路へ誘導することを特徴とする請求項１乃至請求項７のいずれかに記載の遊技機。
【請求項９】 複数の前記振分手段は、前記装飾部材の両側方に位置する前記振分手段が最も上流側に位置し、前記装飾部材の中心側に位置する前記振分手段が最も下流側に位置するように段階的に形成されていることを特徴とする請求項１乃至請求項８のいずれかに記載の遊技機。
【請求項１０】  前記入賞口は、前記可変表示装置で可変表示を開始させる条件の成立契機となる始動入賞口であることを特徴とする請求項１乃至請求項９のいずれかに記載の遊技機。
【手続補正２】
【補正対象書類名】明細書
【補正対象項目名】０００４
【補正方法】変更
【補正の内容】
【０００４】
【課題を解決するための手段】
上記目的を達成するために、請求項１の発明においては、遊技盤の遊技領域に設けられて変動表示を行い、表示結果を導出する可変表示装置の表示部の外周部分を装飾する装飾部材を備えた遊技機において、前記装飾部材の下方の前記遊技領域には、玉が入賞可能な入賞口が備えられ、前記装飾部材には、該装飾部材に受け入れられた玉を複数の経路に振り分ける振分手段を上流から下流にかけて段階的に複数設けると共に、複数の前記振分手段より前面側に形成されて複数の前記振分手段毎に設けた玉排出部から排出された玉を左右方向に転動させると共に前記入賞口の上方に対応する部分に玉２個分以上の左右幅寸法の玉放出部を有する転動部を設け、前記複数の経路は、少なくとも前記装飾部材に受け入れられた玉を前記玉排出部に向けて誘導する経路と、下流側に向けて誘導する経路と、から構成され、前記玉排出部は、前記玉放出部までの距離が複数の前記振分手段毎に異なるように設けられ、複数の前記振分手段のうち少なくとも１つの前記振分手段を、前記複数の経路のうち所定の経路によって誘導された玉が前記転動部で転動することがない、あるいは他の前記振分手段の前記玉排出部から誘導された玉の転動幅より小さい転動幅で転動するように誘導することが可能な特定振分手段としたことを特徴とする。このように構成することにより、装飾部材に受け入れられた打玉は、振分手段によって玉排出部から転動部へあるいは下流側へ向けて振り分けられ、下流側へ向けて振り分けられた玉も最終的に玉排出部から転動部へ誘導されるが、転動部へ誘導される段階によって転動部での左右方向の転動の振幅が異なる。例えば、上流側に位置する玉排出部から転動部に排出された場合、玉の転動の振幅が大きく、玉放出部から入賞口に向けて排出される際、左右方向に大きく寄ってしまうため入賞の可能性が低くなる。一方、下流側に位置する玉排出部から転動部に排出された場合、玉の転動の振幅が小さく、玉放出部から入賞口に向けて排出される際、左右方向に大きく寄ってしまうことがないため上流側に位置する玉排出部から転動部に排出された場合と比較して入賞の可能性が高くなる。
【手続補正３】
【補正対象書類名】明細書
【補正対象項目名】０００５
【補正方法】変更
【補正の内容】
【０００５】
更に、特定振分手段から転動部で転動することがない、あるいは他の振分手段の玉排出部から導かれた玉の転動幅より小さい転動幅で転動するように誘導された玉は、玉放出部から入賞口に向けてほぼ真下に落下するため、最も入賞の可能性が高くなる。このように、玉が排出される段階によって入賞口への入賞の確率が変わるため、遊技者は、玉がどの時点で転動部へ排出されるかの期待を持って遊技を楽しむことができる。また、特定振分手段から転動部で転動することがない、あるいは他の振分手段の玉排出部から誘導された玉の転動幅より小さい転動幅で転動するように誘導された玉以外の玉も、入賞の確率が低いながらも入賞の可能性が残されているため、遊技者は、これらの玉にも入賞の期待を持つことができ、遊技の興趣を向上させることができる。
【手続補正４】
【補正対象書類名】明細書
【補正対象項目名】０００７
【補正方法】変更
【補正の内容】
【０００７】
また、請求項２の発明においては、  前記特定振分手段は、複数の前記振分手段のうち最も下流側に設けられている前記振分手段であることを特徴とする。このように構成することにより、最も入賞の可能性の高い振分手段が最も下流側にあるため、玉が入賞するまでの過程をより長く遊技者が楽しむことができ、遊技の興趣を向上させることができる。
【手続補正５】
【補正対象書類名】明細書
【補正対象項目名】０００８
【補正方法】変更
【補正の内容】
【０００８】
また、請求項３の発明においては、前記転動部の前面側には、該転動部を転動する玉が前記玉放出部以外の位置から前記遊技領域に放出されることを防止するための放出防止部が形成されていることを特徴とする。このように構成することにより、各段階の振分手段から転動部へ排出されたすべての玉を共通の玉放出部から放出させることができるため、すべての玉に対して遊技者が入賞の期待を持つことができ、遊技の興趣を向上させることができる。
【手続補正６】
【補正対象書類名】明細書
【補正対象項目名】０００９
【補正方法】変更
【補正の内容】
【０００９】
また、請求項４の発明においては、前記下流側に向けて誘導する経路は、当該下流側に向けて誘導するために振り分ける前記振分手段の裏面側に玉を移動させながら下流側に誘導し、前記玉排出部に向けて誘導する経路は、当該振分手段の前面側に玉を移動させながら前記玉排出部に誘導することを特徴とする。このように構成することにより、玉を前面側にのみ、あるいは裏面側にのみ順次振り分ける構造のように奥行方向に広い場所を必要とせず、振分手段の構造の省スペース化を図ることができる。
【手続補正７】
【補正対象書類名】明細書
【補正対象項目名】００１０
【補正方法】変更
【補正の内容】
【００１０】
また、請求項５の発明においては、前記振分手段の前面側には、前記玉排出部以外の位置から前記転動部に玉が排出されることを抑止するための排出抑止部が形成されていることを特徴とする。このように構成することにより、玉が振分手段により振り分けられる前に振分手段から転動部に排出されることが抑止され、遊技球が振分手段に進入しやすくなるため、玉の振り分け態様に遊技者を引き付けることができ、遊技の興趣を向上させることができる。
【手続補正８】
【補正対象書類名】明細書
【補正対象項目名】００１１
【補正方法】変更
【補正の内容】
【００１１】
また、請求項６の発明においては、複数の前記振分手段の各振分手段の間には、上流側に位置する前記振分手段で振り分けられた玉が下流側に位置する前記振分手段に誘導される経路の側壁の一部をなす玉導出規制部が形成されていることを特徴とする。このように構成することにより、上流側に位置する振分手段によってその下流側に位置する振分手段に向けて振り分けられた玉は、その下流側に位置する振分手段に誘導されるため、下流側に位置する振分手段において適正に玉の振り分けが行われる。
【手続補正９】
【補正対象書類名】明細書
【補正対象項目名】００１２
【補正方法】変更
【補正の内容】
【００１２】
また、請求項７の発明においては、前記装飾部材には、前記遊技領域を流下する玉を複数の前記振分手段のうち最も上流側に設けられている前記振分手段の近傍へ誘導するための誘導通路が形成されていることを特徴とする。このように構成することにより、遊技者は、誘導通路に玉が受け入れられた時点で玉が振分手段に誘導される可能性が高いことを認識できるため、誘導通路へ玉が受け入れられたことで遊技者の注意を引き付けて期待を持たせることができ、遊技の興趣を向上することができる。
【手続補正１０】
【補正対象書類名】明細書
【補正対象項目名】００１３
【補正方法】変更
【補正の内容】
【００１３】
また、請求項８の発明においては、複数の前記振分手段は、玉を前面側に転動させた後に左右いずれかに振り分け、一方を前記玉排出部に向けて誘導する経路、他方を下流側に向けて誘導する経路へ誘導することを特徴とする。このように構成することにより、玉が振分手段により振り分けられる態様を容易に認識できるため、玉の振り分け態様に遊技者を引き付けることができ、遊技の興趣を向上させることができる。
【手続補正１１】
【補正対象書類名】明細書
【補正対象項目名】００１４
【補正方法】変更
【補正の内容】
【００１４】
また、請求項９の発明においては、複数の前記振分手段は、前記装飾部材の両側方に位置する前記振分手段が最も上流側に位置し、前記装飾部材の中心側に位置する前記振分手段が最も下流側に位置するように段階的に形成されていることを特徴とする。このように構成することにより、玉が中心に向かうに従ってより入賞の確率が高くなる構成であるため、遊技者は、玉の位置により入賞の確率の程度を視覚的に容易に判断することができる。
【手続補正１２】
【補正対象書類名】明細書
【補正対象項目名】００９８
【補正方法】変更
【補正の内容】
【００９８】
（発明１）遊技盤４０の遊技領域４１に設けられて変動表示を行い、表示結果を導出する可変表示装置４４の表示部の外周部分を装飾する装飾部材１６１を備えた弾球遊技機１において、前記装飾部材１６１の下方の遊技領域４１には、玉が入賞可能な入賞口としての普通可変入賞球装置５８が備えられ、前記装飾部材には、該装飾部材に受け入れられた玉を複数の経路に振り分ける振分手段を上流から下流にかけて段階的に複数設け、前記複数の経路は、少なくとも前記装飾部材に受け入れられた玉を前記玉排出部に向けて視認可能に誘導する経路と、下流側に向けて視認可能に誘導する経路と、から構成され、前記下流側に向けて誘導する経路は、当該下流側に向けて誘導するために振り分ける前記振分手段の裏面側に玉を移動させながら下流側に誘導し、前記玉排出部１７３に向けて誘導する経路は、当該振分手段の前面側に玉を移動させながら前記玉排出部１７３に誘導し、前記複数の振分手段１７５，１７６のうち少なくとも１つの振分手段を、前記複数の経路のうち所定の経路によって導かれた玉が前記入賞口としての普通可変入賞球装置５８に向けてほぼ真下に落下するように導くことが可能な特定振分手段１７５としたことを特徴とする遊技機。このように構成することにより、装飾部材１６１に受け入れられた打玉は、振分手段１７５，１７６によって玉排出部１７３から遊技領域４１へあるいは下流側へ向けて振り分けられるが、いずれの経路も遊技者が視認可能な位置にあるため、遊技者は、振分手段１７５，１７６での玉の振り分け結果を遅滞なく確認することができる。このため、入賞の可能性が低い玉以外の玉の動きに注意を向けることができ、玉を入賞させるための遊技に集中することができる。また、玉を遊技領域４１前面側にのみあるいは、裏面側にのみ順次振り分ける構造のように奥行方向に広い場所を必要とせず、振分手段１７５，１７６の構造の省スペース化を図ることができる。
【手続補正１３】
【補正対象書類名】明細書
【補正対象項目名】００９９
【補正方法】変更
【補正の内容】
【００９９】
（発明２）前記特定振分手段１７５は、複数の前記振分手段１７５，１７６のうち最も下流側に設けられている振分手段であることを特徴とする発明１記載の遊技機。このように構成することにより、最も入賞の可能性の高い特定振分手段１７５が最も下流側にあるため、玉が入賞するまでの過程をより長く遊技者が楽しむことができ、遊技の興趣を向上させることができる。
【手続補正１４】
【補正対象書類名】明細書
【補正対象項目名】０１００
【補正方法】変更
【補正の内容】
【０１００】
（発明３）前記振分手段１７５，１７６の前面側には、前記玉排出部１７３以外の位置から前記遊技領域４１に玉が排出されることを抑止するための排出抑止部としての排出抑止壁１７２が形成されていることを特徴とする発明１又は発明２記載の遊技機。このように構成することにより、玉が振分手段１７５，１７６により振り分けられる前に振分手段１７５，１７６から遊技領域４１に排出されることが抑止され、遊技球が振分手段１７５，１７６に進入しやすくなるため、玉の振り分け態様に遊技者を引き付けることができ、遊技の興趣を向上させることができる。
【手続補正１５】
【補正対象書類名】明細書
【補正対象項目名】０１０１
【補正方法】変更
【補正の内容】
【０１０１】
（発明４）複数の前記振分手段１７５，１７６の各振分手段１７５，１７６の間には、上流側に位置する振分手段１７６で振り分けられた玉が下流側に位置する振分手段１７５，１７６に導かれる経路の側壁の一部をなす玉導出規制部１７４が形成されていることを特徴とする発明１乃至発明３のいずれかに記載の遊技機。このように構成することにより、上流側に位置する振分手段１７５によってその下流側に位置する振分手段１７５，１７６に向けて振り分けられた玉は、その下流側に位置する振分手段１７５，１７６に誘導されるため、下流側に位置する振分手段１７５，１７６において適正に玉の振り分けが行われる。
【手続補正１６】
【補正対象書類名】明細書
【補正対象項目名】０１０２
【補正方法】変更
【補正の内容】
【０１０２】
（発明５）前記装飾部材１６１には、前記遊技領域４１を流下する玉を複数の前記振分手段１７５，１７６のうち最も上流側に設けられている振分手段１７６の近傍へ誘導するための誘導通路１７８が形成されていることを特徴とする発明１乃至発明４のいずれかに記載の遊技機。このように構成することにより、遊技者は、誘導通路１７８に玉が受け入れられた時点で玉が振分手段１７５，１７６に導かれる可能性が高いことを認識できるため、誘導通路１７８へ玉が受け入れられたことで遊技者の注意を引き付けて期待を持たせることができ、遊技の興趣を向上することができる。
【手続補正１７】
【補正対象書類名】明細書
【補正対象項目名】０１０３
【補正方法】変更
【補正の内容】
【０１０３】
（発明６）複数の前記振分手段１７５，１７６は、玉を前面側に転動させた後に左右いずれかに振り分け、一方を前記玉排出部１７３に向けて誘導する経路、他方を下流側に向けて誘導する経路へ誘導することを特徴とする発明１乃至発明５のいずれかに記載の遊技機。このように構成することにより、玉が振分手段１７５，１７６により振り分けられる態様を容易に認識できるため、玉の振り分け態様に遊技者を引き付けることができ、遊技の興趣を向上させることができる。
【手続補正１８】
【補正対象書類名】明細書
【補正対象項目名】０１０４
【補正方法】変更
【補正の内容】
【０１０４】
（発明７）複数の前記振分手段１７５，１７６は、前記装飾部材１６１の両側方に位置する通常振分手段１７６が最も上流側に位置し、前記装飾部材１６１の中心側に位置する特定振分手段１７５が最も下流側に位置するように段階的に形成されていることを特徴とする発明１乃至発明６のいずれかに記載の遊技機。このように構成することにより、玉が中心に向かうに従ってより入賞の確率が高くなる構成であるため、遊技者は、玉の位置により入賞の確率の程度を視覚的に容易に判断することができる。
【手続補正１９】
【補正対象書類名】明細書
【補正対象項目名】０１０６
【補正方法】変更
【補正の内容】
【０１０６】
【発明の効果】
以上、説明したところから明らかなように、請求項１の発明においては、玉が排出される段階によって入賞口への入賞の確率が変わるため、遊技者は、玉がどの時点で転動部へ排出されるかの期待を持って遊技を楽しむことができる。また、特定振分手段から転動部で転動することがない、あるいは他の振分手段の玉排出部から導かれた玉の転動幅より小さい転動幅で転動するように誘導された玉以外の玉も、入賞の確率が低いながらも入賞の可能性が残されているため、遊技者は、これらの玉にも入賞の期待を持つことができ、遊技の興趣を向上させることができる。
【手続補正２０】
【補正対象書類名】明細書
【補正対象項目名】０１１０
【補正方法】変更
【補正の内容】
【０１１０】
また、請求項４の発明においては、玉を前面側にのみあるいは、裏面側のみに順次振り分ける構造のように奥行方向に広い場所を必要とせず、振分手段の構造の省スペース化を図ることができる。
【手続補正２１】
【補正対象書類名】明細書
【補正対象項目名】０１１３
【補正方法】変更
【補正の内容】
【０１１３】
また、請求項７の発明においては、遊技者は、誘導通路に玉が受け入れられた時点で玉が振分手段に誘導される可能性が高いことを認識できるため、誘導通路へ玉が受け入れられたことで遊技者の注意を引き付けて期待を持たせることができ、遊技の興趣を向上することができる。